(57)【特許請求の範囲】
【請求項１】
入力手段と、
表示手段と、
見出し語及び見出し語に対応する辞書情報が記憶された辞書データ記憶手段と、
前記入力手段によって入力された語句と、前記辞書データ記憶手段に記憶されている見出し語との一致を検索する第１検索手段と、
検索された見出し語及び当該見出し語に対応する辞書情報を前記表示手段に表示させる第１表示制御手段と、
前記第１検索手段による検索結果を登録することを指示する登録指示手段と、
登録の指示により、検索結果の見出し語及び当該見出し語に対応する辞書情報を記憶する検索結果辞書データ記憶手段と、
を備え、更に、
前記登録された検索結果の見出し語が表示されたアイコンを指示し、当該アイコンで指示された見出し語に対応する検索結果辞書データ記憶手段内の全ての辞書情報を抽出する第１抽出手段と、
前記表示手段に表示された文章中から任意の文字列を選択した語句と、前記検索結果辞書データ記憶手段に記憶されている見出し語との一致を検索する第２検索手段と、
前記第２検索手段による検索の結果、一致した見出し語があった場合、前記一致した見出し語に対応する検索結果辞書データ記憶手段内の辞書情報の内、予め選択された一部分の辞書情報を抽出する第２抽出手段と、
前記第１抽出手段、あるいは、前記第２抽出手段のいずれかで抽出された辞書情報を、前記表示手段に文章が表示された表示画面上にウインドウ表示させる第２表示制御手段と、
を設けたことを特徴とする携帯型情報処理装置。
【請求項２】
入力手段と表示手段とを有するコンピュータを動作させるプログラムであって、
見出し語及び見出し語に対応する辞書情報が記憶された辞書データ記憶手段と、
前記入力手段によって入力された語句と、前記辞書データ記憶手段に記憶されている見出し語との一致を検索する第１検索手段と、
検索された見出し語及び当該見出し語に対応する辞書情報を前記表示手段に表示させる第１表示制御手段と、
前記第１検索手段による検索結果を登録することを指示する登録指示手段と、
登録の指示により、検索結果の見出し語及び当該見出し語に対応する辞書情報を記憶する検索結果辞書データ記憶手段と、
を備え、更に、
前記登録された検索結果の見出し語が表示されたアイコンを指示し、当該アイコンで指示された見出し語に対応する検索結果辞書データ記憶手段内の全ての辞書情報を抽出する第１抽出手段と、
前記表示手段に表示された文章中から任意の文字列を選択した語句と、前記検索結果辞書データ記憶手段に記憶されている見出し語との一致を検索する第２検索手段と、
前記第２検索手段による検索の結果、一致した見出し語があった場合、前記一致した見出し語に対応する検索結果辞書データ記憶手段内の辞書情報の内、予め選択された一部分の辞書情報を抽出する第２抽出手段と、
前記第１抽出手段、あるいは、前記第２抽出手段のいずれかで抽出された辞書情報を、前記表示手段に文章が表示された表示画面上にウインドウ表示させる第２表示制御手段と、
を設けたことを特徴とする情報処理装置として動作させるためのプログラム。
【発明の詳細な説明】
【０００１】
【発明の属する技術分野】
この発明は、利用者の便宜のために、文字情報を一時的に蓄積し、表示し、検索するなどの目的に使用できる装置に関し、特にＰＤＡ（Ｐｅｒｓｏｎａｌ  Ｄｉｇｉｔａｌ  Ａｓｓｉｓｔａｎｔｓ）などの比較的小さな表示画面と限られた記憶容量を有するデータ機器において辞書から検索したデータなどの文字情報を一時的に蓄積し、表示し、検索するなどのメモ的な目的に使用できる装置に関する。
【０００２】
【従来の技術】
最近ＰＤＡの普及に伴い、これを電子メールの送受信やＷＷＷ（Ｗｏｒｌｄ  Ｗｉｄｅ  Ｗｅｂ）の閲覧等に利用したり、ワープロ的な文書処理に利用する機会が増えてきた。この時、単語や熟語などのわからない言葉を辞書で検索し、その結果を表示させたり、蓄積して再利用したい場面が増えている。
【０００３】
従来このような目的に利用されてきたものとして、クリップボード機能がある。クリップボードは、データを切り取り又はコピーして、他の場所や他のアプリケーションに貼り付ける際、データを一時的に保存する記憶装置上の場所である。本明細書中においては「クリップボード」と言う述語をこのような意味を表わす一般的な述語として用いることとする。
【０００４】
例えば、特開平９−１４６９５６号公報には、機械翻訳装置への応用として、クリップボードにコピーした文字列を辞書参照及び訳語学習の対象として扱える機械翻訳装置が開示されている。
【０００５】
【発明が解決しようとする課題】
従来のクリップボード機能は、利用者が文字列を指定して切り取り又はコピーすることによって１件だけの記憶が可能であった。従って、他のデータを切り取り又はコピーすると、今まで記憶していたデータは上書きされて消えてしまう。
【０００６】
書類を読むときには、複数の単語や熟語の意味が不明で、夫々を連続して検索したいことがある。ところが従来のクリップボードでは、１つの単語や熟語の意味を検索してクリップボードに記憶させておいても、次の単語や熟語の意味を検索して記憶させて置きたいときには、前の記憶を上書きされてしまうため、以前に検索した結果を再度見返したい時には再度検索しなおす必要があり、不便であった。
【０００７】
本発明はクリップボードに複数の内容を記憶させ、それらを即座に確認する機能を提供することを目的とする。更に、クリップボードに記憶された複数のデータの管理を促す機能を実現して、限られた記憶容量を効率的に利用する機能を提供することも目的とする。
【０００８】
また、従来のクリップボード機能は通常のパーソナル・コンピュータのような表示画面を想定した機能なので、最近のＰＤＡのような比較的小さな表示画面を有するデータ機器においては、使い勝手のよいものではなかった。
【０００９】
本発明は、表示画面を簡素化して、コンパクトに単語や熟語の意味を表示する機能を提供することも目的とする。更に、検索結果をテキスト形式で記憶することによって、音声出力を実現することも目的とする。
【００１０】
また本発明は、クリップボードに記憶したデータを用いて辞書データの検索を容易に行える機能を提供することも目的とする。
【００１１】
【課題を解決するための手段】
本発明によるクリップボードは、その記入方法を工夫することによって、複数の文字列を蓄積する事を可能とし、この機能を用いて、辞書ソフトを使って単語や熟語などを検索した検索結果を簡単な操作で複数個記録できるように構成した。
【００１２】
また、辞書ソフトなどの検索結果が複数個クリップボードに登録されていることを示すために、装置の画面上にアイコンなどで表示するようにし、文書処理中にこれらアイコンを操作することによって、クリップボードに登録されている文字列を選択的に呼び出して利用できるようにした。
【００１３】
あるいは、文書処理中、過去に参照したことがある単語または熟語は、その語句をなぞるだけで自動的にクリップボードに登録されている過去の検索結果を必要なところだけ抜き取って、コンパクトに表示する事ができるように構成した。
【００１４】
クリップボードに登録されている語句は、音声出力も可能であり、また、クリップボードに登録されている語句から逆に辞書データの検索を昇順、降順で行えるように構成されている。
【００１５】
更に、クリップボードに登録されている語句の管理を、個々の語句を検索した回数や、登録されていた時間を基準にしてユーザに確認し、削除などの整理を促す事ができるように構成した。
【００１６】
【発明の実施の形態】
以下、図面を参照して本発明の実施の形態を説明する。図面に示した装置は特定の形態を有するが、これは例示であって、このことによって本発明を限定する意図でないことは言うまでもない。
【００１７】
図１は本発明によるクリップボード機能を有するＰＤＡ装置１００の外観を示す斜視図である。
この装置は、液晶表示部と、この液晶表示部を覆う大きさの、指或いはペン１０１で指示及び入力をすることが可能な透明タブレットからなる入出力手段１０２を有する。液晶表示部には必要に応じてＥＬパネル等のバックライトが設けられる。この液晶表示部に表示された表示内容と透明タブレットの位置情報の同期を取ることにより使用者が表示内容を選択指示することが可能であり、この機能を利用して入出力手段１０２の上には特別な機能動作を指示するための［機能］キー１０３が設けられている。
【００１８】
ＰＤＡ装置１００には、更にモジュラージャック１０４が設けられており、モデムなどの装置を介して外部と通信することができる。更に、音声入出力ジャック１０５が設けられており、イヤホンマイク１０６と接続プラグ１０７で接続し、音声を入出力できるようになっている。
【００１９】
１０８は蓋部であり装置１００の背面にヒンジで結合されており入出力手段１０２を覆うように回動し、持ち運び時に入出力手段１０２を保護する。
１０９は外部メディア用スロットであって、拡張メモリーカード、拡張ソフト媒体などカード型の外部拡張メディアを挿入して利用することができる。
【００２０】
図２は、図１に示したＰＤＡ装置１００の概略ブロック図である。
２００は液晶表示部、２０１は透明タブレット部であり、図１の入出力手段１０２を構成する。
【００２１】
２０３は、透明タブレット部２０１を駆動し、座標情報を取り出すタブレット制御部である。
２０４は、液晶表示回路部であり、液晶素子を駆動するために必要な装置を含む。
【００２２】
２０５は、中央制御部であり、プログラムによる各種命令により情報の入出力を含む各部の動作を制御する。
２０６はＲＯＭであり、液晶表示部２００に表示する文字のフォントを記憶したフォント情報エリア、前記中央制御部２０５の動作を指示するプログラムを記憶したプログラムエリア、文字変換の為の辞書を記憶する辞書エリア、また単語または熟語の意味やそれに対する音声データを収録するエリア、タブレット制御部２０３にて検出された座標を表示位置に対応する座標への変換を行う為の変換情報を記憶した座標情報エリアなどを含む。
【００２３】
２０７はＲＡＭであり、使用者が入出力手段１０２より入力した文字や図形などの各種データを記憶するデータ記憶部、外部のプログラムメディア２０８から図１の外部メディア用スロット１０９を介して拡張プログラムを読み込み保持するプログラム記憶部などを含む。本発明によるクリップボードはこのＲＡＭ２０７の中に設定される。
【００２４】
プログラムメディア２０８は本体と分離可能に構成される情報記録媒体であり、例えばＤＶＤ、ＭＯ、ＣＤ−ＲＯＭ、フロッピー（Ｒ）ディスク、ＩＣカードなどが考えられる。プログラムメディア２０８内には、本体のＲＡＭ２０７に読み込まれて実行される実行形式プログラム、実行形式プログラムを構築し得るソースプログラム、中間プログラムなどが記録されている。
【００２５】
２０９はモジュラー部であり、通信回線と接続され、電子メールの送受信やインターネットとのデータの入出力を、モジュラー制御部２１０を介して行う。
２１１は音声再生部であり、中央制御部からの命令に従って音声再生制御部を介して、音声出力するための部分である。
【００２６】
【実施例】
次に本発明によるクリップボード機能の実施例について図３から図８を参照して詳細な説明を行う。
【００２７】
図３から図５は、本発明によるクリップボード機能を利用して、英和辞書ソフトを検索した結果を参照する操作の一連の画面を例示する図である。
図３（ａ）はＰＤＡ１００における電子メール機能の受信簿画面の表示例である。図示のように入出力手段１０２上に受信された電子メールのリストが表示されている。
【００２８】
リスト中の読みたいメールの行、例えば３００を選択すると図３（ｂ）のような詳細画面が表示される。ここで画面上に例えば「ｐｒｏｐｏｓａｌ」３０１や「ｂｅｙｏｎｄ」３０２のように意味や発音のわからない単語や熟語がある場合、英和辞書ソフトを起動することによって意味、用法、解説などを検索して、その結果を画面上に表示させ、あるいは音声で出力することができる。
【００２９】
「ｐｒｏｐｏｓａｌ」を選択して英和辞書ソフトを検索した結果の画面を図３（ｃ）に、「ｂｅｙｏｎｄ」を選択して英和辞書ソフトを検索した結果の画面を図４（ａ）に例示する。
【００３０】
図３（ｃ）や図４（ａ）において、必要に応じてクリップボタン３０３を操作すると辞書検索結果をクリップボードに記憶させることができる。ここでは、図３（ｂ）において「ｐｒｏｐｏｓａｌ」の検索結果をクリップボードに記憶させ、次に図４（ａ）において「ｂｅｙｏｎｄ」の検索結果を記憶させることとする。
【００３１】
ここにおいて、従来のクリップボードでは、後の「ｂｅｙｏｎｄ」の検索結果を記憶させる時に前に記憶させた「ｐｒｏｐｏｓａｌ」の検索結果が上書きされて消えてしまった。本発明においては両方を記憶できるようにするために、クリップボードへの記憶を、図６に示すようなデータ構造にして、加除及び検索をできるようにする。
【００３２】
図６を参照すると、検索したデータが項目、即ち「番号」「見出し」「意味」「音声データ」ごとに区分けされて記憶されている。図６は分りやすいように表形式で示し、各項目名を明示しているが、実際のデータにおいては各項目は順序を決められており、それらの間にはタブ記号などを挿入して区分けを行うこととするので項目名は不要である。また、各データ間は改行記号などを挿入して区分けする。
【００３３】
検索結果を確認した後、再び元のメールなどの書類データを表示させた時の画面を図４（ｂ）に示す。一旦辞書が検索されると、いつでも前に検索した結果を参照できるように、その検索された見出しの単語などが所定数のアイコン４００、４０１、４０２として表示される。
【００３４】
図中４００、４０１、４０２には図６に示すクリップボードの登録情報から番号が夫々１、２、３の見出しの項目を抽出して表示されている。図においてアイコンは６個表示されており、前記４００、４０１、４０２以外の３つは「未設定」という表示になっているが、これらはまだ検索の数が３個の単語にとどまっているためで、検索数が増えるに連れて順次埋められて行く。
【００３５】
またこの例ではアイコンを用いているが、これに限定されずメニュー表示などでもよく、表示数も画面の広さに応じて適宜選択できることは言うまでもない。更に検索数が表示数を超えた場合には、最近の検索結果を優先して表示することが望ましいが、その場合でも表示から消えた以前の検索結果を再表示するために、スクロールなどの動作をさせてもよいことは言うまでもない。
【００３６】
さて、図４（ｂ）に示すようなアイコンが表示された後、以前に検索した辞書のデータを再度参照したくなったとき、例えば図４（ｂ）のアイコン４００を選択すると、本発明の装置はクリップボードを検索する。この場合、図６の番号１に対応する項目の内「見出し」と「意味」の情報を抽出して図５（ａ）に例示するようにポップアップ・ウインドウ５００を用いて表示し、必要に応じて「音声データ」で指定されたファイルを探し出し再生する。これは４０１、４０２のアイコンを選択したときも同様である。
【００３７】
検索結果を確認した後、再び元のメールなどの書類データを表示させた時の画面の別の実施例を図５（ｂ）に示す。この場合は図４（ｂ）のようなアイコンは表示されず、例えば［機能］キー（図１の１０３）を押した後、単語または熟語をなぞって選択すると、そのなぞった単語または熟語を図６の「見出し」の項目から検索し、一致するものがあれば、その結果として図６に示す「意味」の項目を図５（ｃ）のように表示する。例に示す場合は、「ｐｒｏｐｏｓａｌ」に対する「意味」の項目の内必要な部分だけを抽出して小さめのポップアップ・ウインドウ５０１に表示して画面を効率的に利用する様子を示した。「意味」項目の抽出の仕方は、辞書ソフトの情報の構成によって様々であり得るが、図６に例示した場合は、「意味」項目の先頭から「用例」の直前の特殊記号を後ろ方向に検索し、更にその記号から前方向に検索して「≫記号」までの部分を抽出し、例えば「申し込み、提案、提議（⇒ｓｕｇｇｅｓｔｉｏｎ）」の部分を表示する。
【００３８】
図５（ａ）に示したアイコンとポップアップ・ウインドウの組合せと、図５（ｂ）、（ｃ）に示した［機能］キー操作と小さめのポップアップ・ウインドウの組合せは、例示のためであって、これに限定されず、夫々の組合せを交換しても良いし、他の種々の組合せも可能なことは言うまでもない。
【００３９】
次に、図７及び図８を用いて上述のクリップボードの処理を更に詳細に説明する。
図７は、上述の辞書ソフト検索及び検索結果のクリップボードによる再参照機能の処理の実施例を説明するフローチャートである。
【００４０】
図においては、メールやワープロなどのアプリケーションは既に起動されており、文章が画面に表示されていると仮定する。
文章中に不明な単語や熟語があれば（７００）、その不明な単語や熟語を選択する（７０１）。
【００４１】
選択し終わったら辞書ソフトを起動して、選択された単語や熟語を検索して（７０２）検索結果を表示する（７０３）。
ここで検索結果を後の参照のためにクリップボードに登録する場合はクリップボード・アイコン（図３の３０３）を操作する７０４。登録の必要がなければ、文章の表示画面に戻る。
【００４２】
登録する場合、クリップボードに既にデータが登録されていれば（７０５）、登録されている最後のデータより１つ多い値を「番号」項目に記録する（７０６）。
【００４３】
まだクリップボードにデータが登録されていない場合は、「番号」項目に「１」を登録する（７０７）。
項目間の区分けをするために、「番号」項目の次にタブ記号を入力する（７０８）。
【００４４】
次に「見出し」の項目に、辞書データから見出し語を抽出して登録し（７０９）、更に項目間の区分けをするためにタブ記号を入力する（７１０）。
次に「意味」の項目に、辞書データから意味を抽出して登録し（７１１）、更に項目間の区分けをするためにタブ記号を入力する（７１２）。
【００４５】
次に「音声データ」の項目に、辞書データから音声データの情報を抽出して登録し（７１３）、更にデータ間の区分けをするために改行記号を入力する（７１４）。
【００４６】
以上でクリップボードへの登録は終了し、辞書ソフトを終了するか否かの選択をする（７１５）。終了しない場合は７０３に戻り、検索結果の表示を継続する。
【００４７】
終了する場合は、アイコン付きの文章表示画面（図４ｂ）を表示する（７１６）。
ここでクリップボードに追加した辞書検索結果データの見出し語の最初の８文字を切り出して「未設定」のアイコンに表示する（７１７）。
【００４８】
前に検索した結果を再表示したい場合はアイコンを操作して（７１８）指定されたアイコンの番号を確認し（７１９）、クリップボードからアイコンの番号と一致する検索結果を読み込み画面に表示するか音声で出力する（７２０）。
【００４９】
図８は、図５（ｂ）に示した別の実施例の場合の処理の詳細を示すフローチャートである。この場合の処理の前半即ち検索結果の登録の処理は図７におけるステップ７００乃至７１５と同一であるので、図８では処理の後半即ち再表示の処理である図７の端子Ａ以降に当る処理のみ示す。
【００５０】
アイコン無しの文章表示画面（図５ｂ）を表示する（８００）。
単語または熟語を選択し（８０１）、機能キーが選択されている状態ならば（８０２）、ステップ８０３に進み、機能キーが選択されていなければステップ８００に戻る。
【００５１】
ステップ８０３において選択されている単語または熟語と、クリップボードに登録されているデータの見出し語と一致するものがあるか否か確認し、あればステップ８０４へ進み、なければステップ８００へ戻る。
【００５２】
ステップ８０４でクリップボードから検索結果を読み込む。
次に前述のようにして表示に必要な部分を切り出し（８０５）、小さいポップアップ・ウインドウを開いて、その中に結果を表示する（８０６）。
【００５３】
次にクリップボードに登録された単語の情報を管理する方法を図９乃至図１４を用いて説明する。
図９は上述したようにクリップボードに検索された辞書情報の登録が終わり、再度クリップボードにて単語を検索した場合の管理処理を説明するフローチャートである。
【００５４】
クリップボードの単語を検索する（９００）と、図１０に示すクリップボード記憶情報部に検索された単語に関する情報を登録する。まず、検索した日時の情報を「履歴」の項目に登録する（９０１）。そして、検索された回数を表わす「回数」のカウントを１増分する（９０２）。図１０を参照すると、「ｐｒｏｐｏｓａｌ」が登録されており、「履歴」情報が２件あるので「回数」のカウントは２となっている。こうしてクリップボード記憶情報部への登録が終わるとクリップボードに登録されている単語情報を表示する（９０３）。
【００５５】
更に、クリップボードに設定されている内容（後述）に基づいてメッセージを表示し（９０４）、クリップボードに登録している単語を削除する指示が有った場合は（９０５）削除を行う（９０６）。メッセージの表示例は、図１１（ａ）及び（ｂ）に示す。これらの画面には、図示のように、クリップボードに登録されている該当する単語の削除を指示するボタンを有している。
【００５６】
図１２及び１３はクリップボードの管理の設定方法を説明するための図である。
まず、図１２において、設定選択用の画面（図１３ａ）を表示する（１２００）。設定選択画面には、単語を何回まで検索したら削除のメッセージを表示するかを設定する「検索回数」と、単語を最初に検索してからどのくらいの期間使用しているかに基づいて、その経過期間に応じて削除のメッセージを表示する「検索期間」と、単語の「検索回数」と「検索期間」の両方ともに該当する場合の設定を行うための選択項目が表示される。この画面での選択に基づいて（１２０１）、それぞれの入力設定画面（図１３ｂ、ｃ）が引き続いて表示され設定することができる。
【００５７】
図１３（ｂ）は「検索回数設定」画面である。図において、検索回数の選択肢は５０回、３０回、１５回又は任意の回数を設定できるようになっている。ここで設定された回数が、図１０に示したクリップボード記憶情報部に記憶される各単語の「回数」項目と比較され、「回数」項目の値がここで設定した値を超えると図１１（ａ）に示した画面が表示され、該当する単語の整理を促す。
【００５８】
図１３（ｃ）は「検索期間設定」画面である。図において、検索期間の選択肢は１８０日、９０日、３０日又は任意の期間を設定できるようになっている。ここで設定された期間が、図１０に示したクリップボード記憶情報部に記憶される各単語の「履歴」項目と比較され、「履歴」項目の最初の値から現在までの期間がここで設定した値を超えると図１１（ｂ）に示した画面が表示され、該当する単語の整理を促す。
【００５９】
メッセージ表示（図９の９０４）の詳細な内容を、図１４を参照して説明する。
クリップボードの単語表示を行うと、クリップボードの設定内容を確認する（１４００）。設定内容があれば、期間に関する設定内容であれば（１４０１）、回数に関する設定内容かを確認し（１４０２）、回数に関する設定があれば、両方の設定内容を表示するメッセージを表示する（１４０３）。なければ回数に関するメッセージを表示する（１４０４）。
【００６０】
期間設定はなく（１４０５）、回数設定がある場合は、回数に関するメッセージを表示する（１４０６）。期間設定も回数設定を無ければ、そのままで終わり、次の処理の待機状態となる。
【００６１】
再び図９を参照して、前記メッセージを表示されて、クリップボードの単語の登録を削除する場合は、クリップボードの単語リストから削除する（９０６）。そして、表示画面にクリップボードに登録されていた単語の情報を表示していたものを消すかどうかを確認する（９０７）。画面を消す場合は、画面を消して、他にクリップボードに登録している単語がないかを確認し（９０８）、あれば最初に戻り、無ければ終了する。
【００６２】
また、表示画面にクリップボードに登録されている単語の情報を表示している画面を消さない場合は、クリップボードに登録している単語に対して同期している単語辞書のテーブルより、前後の単語を検索するかどうかを確認する（９０９）。前後の単語辞書を検索したい場合、テーブルを昇順に検索するか降順に検索するかを選び（９１０）、それぞれ選んだ順番に単語の情報を表示する（９１１、９１２）。見たい単語情報があるまで繰返し行い（９１３）、見つかれば終わる。単語辞書のテーブルからの検索が無ければ（９０９）、他にクリップボードに登録されている単語の情報があるかどうかを確認する（９０８）。
【００６３】
ここで、昇順か降順かの選択は、図５（ａ）に示された、Ａボタン（昇順）５０２とＢボタン（降順）５０３を用いて指示するようにする事が可能である。この指示ボタンは、その以外のボタンと併用してもよいし、表示画面のどの位置にあっても構わない。
【００６４】
例えば、昇順のＡボタンを押せば、「ｐｒｏｐｏｓａｌ」の次の単語である「ｐｒｏｐｒｏｔｉｏｎａｔｅｌｙ」の情報が表示され、降順のＢボタンを押せば、前の単語「ｐｒｏｐｏｓｅ」の情報が表示される。これらの処理は、図１０に示す各単語のポインタにより決められる。このポインタは、各単語の辞書上のアルファベット順のアドレスであり、このアドレスの前後を確認することで上記の処理が可能となる。
【００６５】
以上のような構成とする事によって、クリップボードに登録した単語を検索した回数や、その使用期間を条件にして、不要と思われる単語をクリップボードの登録リストから削除するように促すことができ、従って、ＰＤＡや携帯端末機などの比較的小さな容量のメモリを効率良く有効に使用することができる。
【００６６】
また、クリップボードに登録している情報を使い、その単語から近い情報を確認したい時は、いちいち辞書から単語検索をすることなく、直ぐに表示することにクリップボードを活用できる。
【００６７】
【発明の効果】
複数の不明な語句がある文書データを読むときに、辞書から検索した結果を本発明のクリップボードに登録することで、いつでも簡単にその内容を確認できるので、文書を読む効率が上がる。
【００６８】
クリップボードのデータを再利用する場合に、必要な部分だけ切り出して表示する事ができるので、ＰＤＡ等の狭い画面を効率的に利用できる。
クリップボードに登録している情報を使い、その語句から近い情報を確認したい時は、いちいち辞書から単語検索をすることなく、直ぐに表示することができるので容易に語句の意味の確認ができる。
【００６９】
クリップボードに登録された語句の整理を自動的に促してくれるので、ＰＤＡのような比較的小さな記憶容量を効率的に利用できる。
【図面の簡単な説明】
【図１】  本発明のクリップボード機能を有するＰＤＡ装置の外観を示す斜視図。
【図２】  図１に示したＰＤＡ装置の概略ブロック図。
【図３】  本発明のクリップボード機能の応用の例示画面を示す図。
【図４】  本発明のクリップボード機能の応用の例示画面を示す図。
【図５】  本発明のクリップボード機能の応用の例示画面を示す図。
【図６】  本発明のクリップボードの記憶データ構造を例示する図。
【図７】  本発明の辞書ソフト検索及び検索結果のクリップボードによる再参照機能の処理の実施例を説明するフローチャート。
【図８】  本発明の辞書ソフト検索及び検索結果のクリップボードによる再参照機能の処理の別の実施例の処理を示すフローチャート。
【図９】  本発明のクリップボードにて単語を検索した場合の管理処理を説明するフローチャート。
【図１０】  本発明のクリップボード記憶情報部の図。
【図１１】  本発明のクリップボード登録単語管理メッセージの表示例を示す図。
【図１２】  本発明のクリップボードの管理の設定方法を説明するための図。
【図１３】  本発明のクリップボードの管理の設定方法を説明するための図。
【図１４】  図９のメッセージ表示（９０４）の詳細な内容を示すフローチャート。
【符号の説明】
１：本体キャビネット部、１−１：ペン保持部
２：入出力部、３：蓋部、４：モジュラージャック、５：入力ペン、
６：タブレット制御部、７：液晶表示回路部、８：コモン回路、
９：セグメント回路、１０：中央制御部、１１：ＲＴＣ、１２：ＲＯＭ、
１３：ＲＡＭ、１４：モジュラー部、１５：モジュラー制御部、
１６：本体電源スイッチ、１７：プログラムメディア、
１８：文字入力部、１９：音声再生制御部、２０：音声再生部
【図１】
0003877977.tif 000002
【図２】
0003877977.tif 000003
【図３】
0003877977.tif 000004
【図４】
0003877977.tif 000005
【図５】
0003877977.tif 000006
【図６】
0003877977.tif 000007
【図７】
0003877977.tif 000008
【図８】
0003877977.tif 000009
【図９】
0003877977.tif 000010
【図１０】
0003877977.tif 000011
【図１１】
0003877977.tif 000012
【図１２】
0003877977.tif 000013
【図１３】
0003877977.tif 000014
【図１４】
0003877977.tif 000015